(57)【要約】【課題】空間を二つに区画するパネルユニットにおいて、配線などに必要とされる隙間を形成する。【解決手段】パネル状の基材１２、及び基材１２の外周縁部の少なくとも一部に沿って設けられ、基材１２の内方に向けて凹んだ凹溝２５を有した少なくとも二枚のパネル体１１と、凹溝２５どうしを対向させて互いに隣接配置された二枚のパネル体１１の間の間隙を塞ぐように一対の凹溝２５の間に保持され、凹溝２５に沿って移動可能とされた可動仕切パネル５と、を有することを特徴とするパネルユニット２を提供する。【選択図】図１３
2015188509.tif 000002
【特許請求の範囲】
【請求項１】
パネル状の基材、及び前記基材の外周縁部の少なくとも一部に沿って設けられ、前記基材の内方に向けて凹んだ凹溝を有した少なくとも二枚のパネル体と、
前記凹溝どうしを対向させて互いに隣接配置された二枚の前記パネル体の間の間隙を塞ぐように一対の前記凹溝の間に保持され、前記凹溝に沿って移動可能とされた可動仕切パネルと、を有することを特徴とするパネルユニット。
【請求項２】
前記可動仕切パネルは、前記凹溝に沿って上下方向に移動可能とされていることを特徴とする請求項１に記載のパネルユニット。
【請求項３】
前記可動仕切パネルは、天板と、前記天板の下方に設けられた配線収容空間と、前記配線収容空間の上方を覆い、開閉自在とされた板状の閉塞カバーと、を有する什器の前記閉塞カバーの上方に設けられていることを特徴とする請求項２に記載のパネルユニット。
【請求項４】
前記パネル体に設けられ、前記天板の縁部を板厚方向に挟持するクランプ部を有することを特徴とする請求項３に記載のパネルユニット。
【請求項５】
前記パネル体は、前記基材の少なくとも一面側を覆い、前記基材の外周縁部で前記凹溝の内側に巻き込まれた表皮材を備えていることを特徴とする請求項１から請求項４のいずれか一項に記載のパネルユニット。
【請求項６】
前記可動仕切パネルは、光透過性を有していることを特徴とする請求項１から請求項５のいずれか一項に記載のパネルユニット。
【請求項７】
請求項１から請求項６のいずれか一項に記載のパネルユニットを有する什器システム。
【発明の詳細な説明】
【技術分野】
【０００１】
本発明は、パネルユニット、及び什器システムに関するものである。
【背景技術】
【０００２】
近年のオフィスにおいては、組織再編や人員増員等の組織変更が行われることが多く、オフィスに設置される什器には、このような組織変更に対応できる柔軟性が要求されている。その一例として、幅方向に離間して配設された複数の脚体間に幅方向に長寸な天板を架設してテーブル什器を構成し、天板の前後に執務者を対面して配置するとともに、幅方向に複数の執務者が並んで執務するような執務形態がある。
【０００３】
このような執務形態を採ることによって、天板上における一人当たりで使用する幅方向の寸法を変更することで組織変更や増員等による執務者の人数変更に柔軟に対応することができる。ただし、平板上の天板を複数の執務者で使用するため、執務者が集中して執務を行い難いという課題がある。このため、別途設けた仕切パネルを天板面上に取り付けることによって、各執務者間を区画し、執務者が集中し易い環境を提供するものがある（例えば、特許文献１、特許文献２、及び特許文献３参照）。
【０００４】
また、近年では、電子機器を用いた執務が一般的となっているため、こうしたテーブル什器では、天板上で使用される電子機器の配線を収容するための配線収容空間が設けられている。配線収容空間は、テーブル什器の幅方向の任意の位置で配線を取り出し可能とするため、テーブル什器の前後方向中間部において、幅方向に連続して形成されている場合が多くみられる。
配線収容空間を設けたテーブル什器においては、配線収容空間の上方をカバー部材で開閉可能に閉塞することによって、作業面を広く使用することができるとともに、テーブル什器としての体裁を良好に収めたものが一般的となっている。
【先行技術文献】
【特許文献】
【０００５】
【特許文献１】特許第５０３７９０４号公報
【特許文献２】特許第５０６３９８７号公報
【特許文献３】特許第４４０９６９１号公報
【発明の概要】
【発明が解決しようとする課題】
【０００６】
ところで、配線収容空間を有するテーブル什器の場合、配線収容空間の上方は、カバーを開閉したり、配線を挿通する作業をするための空間を確保したりする必要がある。前述のようにテーブル什器の天板上を仕切パネルによって区画する際においては、天板に形成された配線収容空間の上方は、仕切パネルを設置できないため、幅方向に隣り合う執務者同士の間を完全に区画できないという課題があった。
また、天板上ではなく、床上に複数枚の仕切パネルからなるパネルユニットを設置する場合においても、パネルユニットによって仕切られる区画間にて配線を通す際に、より容易に配線を配置する方法が望まれていた。
【０００７】
一方、必要に応じてパネルユニットで区画された両空間の間で配線などの部材を配設したり、両空間の間のアクセスを可能とすると、両空間の間を完全に区画することができない問題があった。
そこでなされた本発明の目的は、空間を二つに区画可能としつつ、必要に応じて配線などに必要とされる隙間を形成することができるパネルユニット、及び什器システムを提供することである。
【課題を解決するための手段】
【０００８】
本発明は、上記課題を解決するため、以下の手段を採用する。
本発明の第一の態様によれば、パネルユニットは、パネル状の基材、及び前記基材の外周縁部の少なくとも一部に沿って設けられ、前記基材の内方に向けて凹んだ凹溝を有した少なくとも二枚のパネル体と、前記凹溝どうしを対向させて互いに隣接配置された二枚の前記パネル体の間の間隙を塞ぐように一対の前記凹溝の間に保持され、前記凹溝に沿って移動可能とされた可動仕切パネルと、を有することを特徴とする。
【０００９】
このような構成によれば、可動仕切パネルを移動させることによって、可動仕切パネルの移動方向とは反対の側に隙間を形成することができる。即ち、空間を二つに区画するパネルユニットにおいて、配線などに必要とされる隙間を形成することができる。
【００１０】
上記パネルユニットにおいて、前記可動仕切パネルは、前記凹溝に沿って上下方向に移動可能とされている構成としてもよい。
このような構成によれば、可動仕切パネルを上方に移動させることによって、可動仕切パネルの下方に隙間を形成することができる。
【００１１】
上記パネルユニットにおいて、前記可動仕切パネルは、天板と、前記天板の下方に設けられた配線収容空間と、前記配線収容空間の上方を覆い、開閉自在とされた板状の閉塞カバーと、を有する什器の前記閉塞カバーの上方に設けられている構成としてもよい。
【００１２】
このような構成によれば、可動仕切パネルを上方に移動させることによって、パネルユニットによって天板上方の空間を区画しながら、配線収容空間を閉塞する閉塞カバーの開閉動作を行うことができる。
【００１３】
上記パネルユニットにおいて、前記パネル体に設けられ、前記天板の縁部を板厚方向に挟持するクランプ部を有する構成としてもよい。
このような構成によれば、クランプ部によってパネル体が固定されることによって、可動仕切パネルを保持する凹溝の位置が動くことを防止することができる。
【００１４】
上記パネルユニットにおいて、前記パネル体は、前記基材の少なくとも一面側を覆い、前記基材の外周縁部で前記凹溝の内側に巻き込まれた表皮材を備えている構成としてもよい。
このような構成によれば、パネル体の外周部において、表皮材が基材の外周縁部を回り込んで溝の内側に巻き込まれているため、パネル体の外周部は基材が露出することなく、表皮材で覆われることになる。これにより、パネル体の外観が、柔軟な印象となる。
【００１５】
上記パネルユニットにおいて、前記可動仕切パネルは、光透過性を有している構成としてもよい。
このような構成によれば、可動仕切パネルを自然光や照明光が透過することによって、可動仕切パネルを介してパネルユニットの反対側の状況の一部を確認することができる。
【００１６】
本発明の第二の態様によれば、什器システムは、上記いずれかのパネルユニットを有する。
このような構成によれば、可動仕切パネルを移動させることによって、可動仕切パネルの移動方向とは反対の側に隙間を形成することができる。即ち、空間を二つに区画するパネルユニットを有する什器システムにおいて、配線などに必要とされる隙間を形成することができる。
【発明の効果】
【００１７】
本発明によれば、空間を二つに区画するパネルユニットにおいて、配線などに必要とされる隙間を形成することができる。
【図面の簡単な説明】
【００１８】
【図１】本実施形態におけるパネルユニットを用いた什器システムを示す斜視図である。
【図２】本実施形態におけるパネル体の構成を示す斜視展開図である。
【図３】パネル体の板厚方向中間部における半断面図である。
【図４】パネル体の端部を示す上面図である。
【図５】パネル体の直線部の構造を示す断面図である。
【図６】パネル体のコーナー部の構造を示す断面図である。
【図７】パネル基材の表面に沿って設けられたクッション材を示す断面図であり、（ａ）は表皮材を非装着の状態におけるクッション材の断面図、（ｂ）は表皮材を装着した状態におけるクッション材の断面図である。
【図８】パネル体どうしの上部における連結構造の一例を示す斜視図である。
【図９】パネル体どうしの上部における連結構造の一例を示す斜視図である。
【図１０】クランプ部材及び連結部材の斜視図である。
【図１１】第一パネル、第二パネル及び天板の連結部分の構成を示す立断面図である。
【図１２】第一パネル、第二パネル及び天板の連結部分の構成を示す横断面図である。
【図１３】本実施形態におけるパネルユニットの構成を説明する半断面図である。
【図１４】本実施形態における可動仕切パネルの形状を説明する上面図である。
【図１５】他の実施形態の可動仕切パネルを説明する斜視図である。
【図１６】他の実施形態の可動仕切パネルを説明する上面図である。
【発明を実施するための形態】
【００１９】
以下、添付図面を参照して、本発明の実施形態について説明する。
図１は、本実施形態におけるパネルユニットを用いた什器システムの一例を示す斜視図である。
【００２０】
（什器システム）
図１に示すように、什器システム１は、デスク１００と、デスクの周辺に配置される複数の椅子１１０と、デスク１００を利用する利用者の利用空間を区画するパネルユニット２と、を備えている。
【００２１】
（デスク）
デスク１００は、床面から立設された複数の支持脚１０１と、これら支持脚１０１に支持される一対の天板１０２とを有している。
【００２２】
天板１０２は、上面が作業面とされ、椅子１１０に着座する利用者が隣接する方向（幅方向）、及び隣接する方向と直交する方向（奥行方向）に延びている。ここで、天板１０２に対して利用者が着座する側を前側とし、天板１０２の奥行方向の前側とは反対の側を後側とする。天板１０２の下面には、上方から見て矩形状をなすとともに、支持脚１０１と支持脚１０１とを接続する横材１０３が配置されている。
【００２３】
一対の天板１０２は、後側の端縁である後側端縁１０４を対向させて、奥行方向に離間して配置されている。一対の天板１０２の間であって、天板１０２の下方には、配線収容空間６が設けられている。配線収容空間６には、例えば、ノート型パソコンや、蛍光灯スタンド等の電源コードや、接続ケーブル等の配線を収容可能である。
配線収容空間６は、一対の閉塞カバー７によって覆われている。閉塞カバー７は、開閉自在とされている。閉塞カバー７を開状態とするときは、幅方向に延在する枢軸１１７（図１３参照）を中心に閉塞カバー７を回転させる。これにより、閉塞カバー７の枢軸１１７とは反対側の部分は上方に持ち上がる（図１３参照）。
【００２４】
（パネルユニット）
パネルユニット２は、天板１０２上に配置される一対の第一パネル１１Ａ（１１）と、天板１０２の奥行方向前方に配置される一対の第二パネル１１Ｂ（１１）と、互いに隣接配置された二枚の第一パネル１１Ａの間の間隙を塞ぐように配置された可動仕切パネル５とを有している。
第一パネル１１Ａは、その主面が天板１０２と直交するとともに、天板１０２の前方から後方に延在するように配置されている。換言すると、第一パネル１１Ａは、前後方向に沿って配置されている。
第二パネル１１Ｂは、第一パネル１１Ａの前方に隣接配置されている。この第二パネル１１Ｂは、第一パネル１１Ａと同様に、前後方向に沿って配置されている。
【００２５】
二枚の第一パネル１１Ａの間の間隙が形成される奥行方向の範囲は、一対の閉塞カバー７が配置される奥行方向の範囲と略一致している。換言すれば、二枚の第一パネル１１Ａは、開状態の閉塞カバー７と干渉しない位置に固定されている。
可動仕切パネル５は、一対の第一パネル１１Ａの間の間隙を塞ぐように、一対の閉塞カバー７の上方に配置されている。
第一パネル１１Ａ，第二パネル１１Ｂは、同一の基本構成であるパネル体１１で構成されている。以下、パネル体１１について説明する。
【００２６】
（パネル体）
図２は、本実施形態におけるパネル体１１の構成を示す斜視展開図である。図３は、パネル体１１の板厚方向中間部における半断面図である。図４は、パネル体１１の端部を示す上面図である。図５は、パネル体１１の直線部の構造を示す断面図である。図６は、パネル体１１のコーナー部の構造を示す断面図である。
図２に示すように、パネルユニット２を構成する各パネル体１１は、パネル基材１２（基材）と、パネル基材１２の両面に沿って設けられたクッション材１３と、パネル基材１２およびクッション材１３を覆う表皮材１４と、固定部材３０と、を備えている。
パネル体１１は、設置する什器の形状等に沿って、平面板状、あるいは平面視または側面視したときに、中間部で折曲または湾曲した略Ｌ字状、あるいは全体が湾曲した平面視略Ｃ字状等とすることができる。以下においては、パネル体１１が平面板状であるものとして説明を行う。
【００２７】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２８】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の孔１５ｈが複数千鳥状に組み合わされたハニカム構造とされている。
【００２９】
（フレーム）
図２、図３に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各々の枠材２１Ａ，２１Ｂ，２１Ｄ，２１Ｄは、金属系材料、樹脂系材料等から形成されている。
枠材２１Ａ，２１Ｂは、芯材１５において互いに対向する二辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００３０】
図４〜図６に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５（凹溝）とされている。
このようにして、パネル基材１２は、その外周端部に沿って連続し、パネル基材１２の内方に向けて凹んだ溝２５を有している。
【００３１】
ここで、図３に示すように、Ｌ字状のブラケット２２は、枠材２１Ａまたは枠材２１Ｂに沿って枠材２１Ａまたは枠材２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００３２】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。これら雌ネジ部２９および貫通孔２８は、後に例示する支持脚５０や支持脚体５０Ｂを取り付ける部分である。
【００３３】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。
このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００３４】
なお、図２では、平面板状のパネル体１１の例を示したが、パネル体１１を平面視または側面視した状態で略Ｌ字状、略Ｃ字状等とする場合には、フレーム２０の上下の枠材２１Ｃ，２１Ｄまたは左右の枠材２１Ａ，２１Ｂを，パネル体１１の形状に合わせて折曲または湾曲させる。
【００３５】
図５、図６に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３６】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３７】
図７は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図２に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３８】
図５、図７に示すように、各々の貫通孔１６は、クッション材１３においてパネル基材１２とは反対側を向く外表面１３ｆからパネル基材１２側に対向する対向面１３ｇまで、クッション材１３の厚さ方向に貫通して形成されている。図７（ａ）に示すように、各々の貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３９】
（表皮材）
図５、図７に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の（凹凸部）凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００４０】
また、図５、図６に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
これらクッション材１３及び表皮材１４が、表皮構造を構成している。
【００４１】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００４２】
ここで、図３に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００４３】
図５に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００４４】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００４５】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４６】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４７】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材取付部として保持溝３５が形成されている。
【００４８】
図３に示すように、パネル体１１（第一パネル１１Ａ，第二パネル１１Ｂ）の上部のコーナー部及びデスク１００の天板１０２の前方に配置されるパネル体１１（第二パネル１１Ｂ）の下部コーナー部（図１１参照）には、コーナー部固定部材３０Ｃが設けられている。以下、パネル体１１の上部のコーナー部に配置されるコーナー部固定部材３０Ｃについて説明する。
コーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００４９】
図６に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００５０】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００５１】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００５２】
図３に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図６に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
【００５３】
図３に示すように、コーナーキャップ４０の第一直線状部４１Ａ及び第二直線状部４１Ｂの連結プレート３７との当接面との反対側の面には、逃げ溝４２が形成されている。逃げ溝４２は、第一直線状部４１Ａ及び第二直線状部４１Ｂの端部側から第一直線状部４１Ａと第二直線状部４１Ｂとの交差部の方向へ形成されている。コーナーキャップ４０の逃げ溝４２は、固定部材３０の保持溝３５をコーナーキャップ４０側に延長させる溝である。
また、第一直線状部４１Ａの下端部には、突起片４３が下方に向けて突出形成されている。この突起片４３が、直線部固定部材３０Ｓの上端部において、連結プレート部３２と突条３４との間の保持溝３５（図５参照）に挿入されている。
【００５４】
また、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
なお、デスク１００の天板１０２の前方に配置されるパネル体１１（第二パネル１１Ｂ）の下部コーナー部に配置されるコーナー部固定部材３０Ｃは、上記と同様の構成であるため説明を省略する。
【００５５】
（支持脚）
上記したようなパネル体１１のうちデスク１００の天板１０２の前方に配置されるパネル体１１（第二パネル１１Ｂ）の下部両端部のコーナー部には、それぞれ、支持脚５０が取付可能とされている。この支持脚５０は、床面に接地することで、パネル体１１を床面上に立設させる。
支持脚５０は、パネル基材１２の下部端部１２Ｐで溝２５内に収容される下部支持部５１と、下部支持部５１の一端から上方に延び、パネル基材１２の側部下端部１２Ｑで溝２５内に収容される側部支持部５２と、下部支持部５１よりも下方に延びる支持脚部５３と、を一体に備えている。
【００５６】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、雌ネジ部２９および貫通孔２８にねじ込まれるようになっている。これにより、支持脚５０が、パネル体１１に固定される。
【００５７】
支持脚部５３は、下部支持部５１よりも下方に延び、その下端部に、高さ調整ネジ４９がねじ込み可能とされている。
【００５８】
（パネル体上部における連結）
図８は、パネル体１１，１１どうしの上部における連結構造の一例を示す斜視図である。
この図８に示すように、互いに隣接するパネル体１１，１１どうしは、それぞれの上端部どうしを、上部連結部材６１によって連結することができる。
この上部連結部材６１は、コーナーキャップ４０に代えて、コーナー部固定部材３０Ｃに取り付けられる。上部連結部材６１の両端部６１ａ，６１ａには、ボルト挿通孔６２が形成されている。
また、上部連結部材６１の中間部６１ｂの下面側には、互いに隣接するパネル体１１，１１の上部に配置されたコーナー部固定部材３０Ｃ，３０Ｃの間隔を規制する間隔規制部６３が下方に向けて突出形成されている。間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。
このような上部連結部材６１によって、互いに隣接するパネル体１１，１１の上端部どうしを連結するには、以下のようにする。
まず、上部連結部材６１を、互いに隣接するパネル体１１，１１の上部に配置されたコーナー部固定部材３０Ｃ，３０Ｃ上に載せる。このとき、上部連結部材６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７を突き当てることで、パネル体１１，１１どうしの間隔を適正に位置決めできる。この状態で、ボルト挿通孔６２に挿通させたボルト６４を、貫通孔２８を通して雌ネジ部２９に締結させることにより、上部連結部材６１と、コーナー部固定部材３０Ｃ、枠材２１Ｃ（図３参照）、ブラケット２２の第二プレート部２２ｂ（図３参照）を一体に固定する。これによって、互いに隣接するパネル体１１，１１の上端部どうしが連結される。
【００５９】
（デスクとパネル体との連結構造）
図９は、第一パネル１１Ａを天板１０２に取り付ける支持脚体５０Ｂの構成を示す斜視図である。図１０は、支持脚体５０Ｂ及び連結部材９０の斜視図である。図１１は、第一パネル１１Ａ、第二パネル１１Ｂ及び天板１０２の連結部分の構成を示す立断面図である。図１２は、第一パネル１１Ａ、第二パネル１１Ｂ及び天板１０２の連結部分の構成を示す横断面図である。
図９〜図１２に示すように、支持脚体５０Ｂは、天板１０２の前端部１０２ｅに設けられている。この支持脚体５０Ｂは、下部支持部５１と、下部支持部５１の一端から上方に延びる側部支持部５２と、下部支持部５１よりも下方に延びる支持脚部（上挟持部）８０と、側部支持部５２の下端部から下部支持部５１とは反対側、つまり第一パネル１１Ａの溝２５から突出する方向に延びるクランプアーム８１と、クランプアーム８１の下端部に形成されたサポート部８２と、を一体に備えている。
【００６０】
下部支持部５１、側部支持部５２は、それぞれコーナー部固定部材３０Ｃの第一直線状部３８Ａ、第二直線状部３８Ｂに対して、側部プレート部３６，３６の間に挿入され、連結プレート部３７に突き当てられている。
【００６１】
また、下部支持部５１には、取付孔５１Ａが形成されている。この取付孔５１Ａに挿通されたボルト４８が、ブラケット２２の貫通孔２８に挿通され、枠材２１Ｄの雌ネジ部２９に締結固定されている。
また、側部支持部５２には、取付孔５２Ａが形成されている。この取付孔５２Ａに挿通されたボルト４８が、ブラケット２２の貫通孔２８に挿通され、枠材２１Ａ（２１Ｂ）の雌ネジ部２９に締結固定されている。
これにより、下部支持部５１及び側部支持部５２は、パネル基材１２の溝２５内に収容されるとともに、該溝２５の底面を形成する基部２１ｅに取り付けられている。
【００６２】
クランプアーム８１は、側部支持部５２の下端部から斜め下方に延びる傾斜アーム部８１ａと、傾斜アーム部８１ａの先端部から連続して鉛直下方に延びる鉛直アーム部８１ｂと、鉛直アーム部８１ｂの下端部に連続して下部支持部５１の下方に向けて水平方向に延びる水平アーム部８１ｃと、を備えている。
【００６３】
支持脚部８０は、クランプアーム８１の傾斜アーム部８１ａの下方に一体に形成されている。支持脚部８０の下面８０ｆは、デスク１００の天板１０２の上面１０２ｆに突き当たることで、第一パネル１１Ａの荷重を支持する。
【００６４】
サポート部８２は、水平アーム部８１ｃの先端部からＶ字状に分岐し、天板１０２の下側を挟持する二本一対のサポートアーム８２ａ，８２ａを備えている。
【００６５】
これらサポートアーム８２ａ，８２ａは、水平アーム部８１ｃの先端部から離間するにしたがって、第一パネル１１Ａの板厚方向に沿った方向の間隔が漸次増大するよう形成されている。換言すると、サポートアーム８２ａ，８２ａは、天板１０２の後方に向かうにしたがって、天板１０２の幅方向に互いに離間するように形成されている。
【００６６】
これらサポートアーム８２ａ，８２ａの基端部には、下方に向かって凹む段状の段部８２ｄが形成されている。
【００６７】
サポートアーム８２ａ，８２ａの先端部には、それぞれ円板状の当てパッド８３ｐが設けられている。当てパッド８３ｐは、上下方向に中心軸を有してサポートアーム８２ａにねじ込まれた不図示のネジを有している。当てパッド８３ｐを中心軸周りに回転させることで、その高さが調整可能とされている。
【００６８】
このような支持脚体５０Ｂに対し、天板１０２の前端部１０２ｅは、クランプアーム８１の傾斜アーム部８１ａ、鉛直アーム部８１ｂ、水平アーム部８１ｃによって囲まれた領域に挿入される。詳細には、天板１０２の前端部１０２ｅは、鉛直アーム部８１ｂの後面８１ｅに突き当てられている。この状態で、当てパッド８３ｐを回転させ、当てパッド８３ｐをデスク天板１０２の下面に突き当てる。これによって、支持脚部８０の下面８０ｆと当てパッド８３ｐとで、デスク天板１０２を上下方向（板厚方向）から挟み込むようになっている。
【００６９】
また、第一パネル１１Ａの前端部（対向する部分）１１Ｐと鉛直アーム部８１ｂの後面８１ｅとは同一平面上に配置されている。つまり、クランプアーム８１は、第一パネル１１Ａの前端部１１Ｐから第二パネル１１Ｂ側に向かって突出している。
また、鉛直アーム部８１ｂの後面８１ｅに天板１０２の前端部１０２ｅが突き当てられているため、第一パネル１１Ａの前端部１１Ｐと天板１０２の前端部１０２ｅとも同一平面上に配置されている。
【００７０】
また、第一パネル１１Ａの後端には、支持脚体５０Ｃが設けられている。天板１０２には第一パネル１１Ａの後端に沿って上下方向の切欠きが形成され、この天板１０２の切欠き部分に支持脚体５０Ｃは取り付けられている。
支持脚体５０Ｃは、フレーム２０の下部端部１２Ｐの溝２５内に収容される下部支持部８５と、上下方向に延び、フレーム２０の側部下端部１２Ｑの溝２５内に収容される側部支持部８６と、側部支持部８６の下端部に設けられた当て金具８７と、を一体に備えている。
【００７１】
側部支持部８６は、上下方向に直交する断面形状がコ字状で、一対の側板部８６ａ，８６ａと、これら側板部８６ａ，８６ａどうしを一体に連結する連結板部８６ｂと、を有している。
【００７２】
下部支持部８５は、一定幅を有した帯板状で、その一端が、側部支持部８６の下端部において、側板部８６ａ，８６ａと連結板部８６ｂとに囲まれた部分に一体に接合されている。
これら側部支持部８６、下部支持部８５には、不図示のボルト挿通孔が形成されている。側部支持部８６、下部支持部８５は、図２に示したフレーム２０の溝２５の底面を形成する基部２１ｅに突き当てて貫通孔２８に挿通されたてボルト４８により雌ネジ部２９に締結固定されている。
【００７３】
当て金具８７は、側部支持部８６の下端部に直交し、パネル体１１の板厚方向に沿って水平方向に延在する。当て金具８７は、断面Ｌ字状で、デスク天板１０２の上面に突き当たる上部サポート部８７ａと、上部サポート部８７ａの一端から鉛直下方に垂下し、天板１０２の端部に突き当たる側部サポート部８７ｂとが一体に形成されている。
【００７４】
このような支持脚体５０Ｂ，５０Ｃにより、第一パネル１１Ａは天板１０２ａ上に立設される。これにより、第一パネル１１Ａは、天板１０２ａ上の空間を天板の幅方向に区画する。
【００７５】
また、支持脚体５０Ｂには、連結金具（連結部材）９０が設けられている。連結金具９０は、支持脚体５０Ｂの段部８２ｄに係合される係合壁部９１と、係合壁部９１から下方に向かって延びる垂下壁部９２とを有している。連結金具９０は、垂下壁部９２から屈曲して支持脚体５０Ｂの水平アーム部８１ｃの下面を支持する支持壁部９３と、支持壁部９３から下方に向かって延びる取付壁部９４とを有している。
【００７６】
連結金具９０の取付壁部９４には、貫通孔９４Ａが形成されている。この貫通孔９４Ａに挿通されたボルト９８は、第二パネル１１Ｂの溝２５内に配置されたナット９９に螺合されている。これにより、支持脚体５０Ｂの段部に係合された連結金具９０は、第二パネル１１Ｂの溝２５を形成する壁部に取り付けられている。つまり、第二パネル１１Ｂと支持脚体５０Ｂとは、連結部材９０により連結されている。
【００７７】
このようにして、第二パネル１１Ｂは、天板１０２の前方に、第一パネル１１Ａと隣接配置されている。この状態で、第一パネル１１Ａのクランプアーム８１は、第二パネル１１Ｂの後端部（対向する部分）１１Ｑに沿って形成された溝２５内に収容される。また、第二パネル１１Ｂの後端部１１Ｑは、天板１０２の前端部１０２ｅ及び第一パネル１１Ａの前端部１１Ｐに突き当てられて、当接している。
【００７８】
図１３に示すように、デスク１００は、後側端縁１０４に対応した天板１０２の下方において、横材１０３に交差する一対の補助横材１１３を有している。また、デスク１００は、一対の補助横材１１３の間に配線収容空間６の底部を形成する底板１１４を有する。そして、底板１１４上には、側面視でＹ字形状に形成された閉塞カバー支持台１１５がネジ止めされている。閉塞カバー支持台１１５の上端部には、Ｖ溝形状に形成されたカバー支持部１１６を有する。
閉塞カバー７は、閉塞カバー７の回動基部に設けられた枢軸１１７を中心に回動可能である。カバー支持部１１６は、閉塞カバー７が閉状態において、閉塞カバー７の上面が天板１０２の上面と同一平面上となるように、下方から閉塞カバー７を支持する。
閉塞カバー７の枢軸１１７側と反対の先端部には、天板１０２の後側端縁１０４に接触可能な、例えば、ゴム製のリップ部１１８を有する。
【００７９】
可動仕切パネル５は、板状をなす樹脂材料や金属材料等から形成することができる。また、可動仕切パネル５は、アクリル樹脂、ポリカーボネート樹脂、ガラス等の、透明あるいは半透明の透過性を有したものとすることができる。さらに、可動仕切パネル５は、多数の貫通孔を形成したパンチング材、メッシュ材等とすることで、光透過性を有してもよい。このように可動仕切パネル５が光透過性を有することで、その両側のパネル体１１，１１間で光が透過する。
可動仕切パネル５は、上下方向に長い矩形状をなし、長手方向（上下方向）の寸法が第一パネル１１Ａと略同一である。可動仕切パネル５には、コーナー部固定部材３０Ｃとの干渉を避けるための切欠き５ａが形成されている。換言すれば、可動仕切パネル５の四つの辺のうち、切欠き５ａを除く部分は、可動仕切パネル５を上下方向に動かした際に、コーナー部固定部材３０Ｃに干渉する。
【００８０】
図１４に示すように、可動仕切パネル５の厚さは、直線部固定部材３０Ｓの突条３４間の隙間より僅かに薄い寸法である。
また、可動仕切パネル５の長手方向と直交する方向の寸法は、天板１０２に固定された一対の第一パネル１１Ａ間の間隙の寸法と略同一である。具体的には、切欠き５を除く可動仕切パネル５の長手方向と直交する方向の寸法は、第一パネル１１Ａの直線部固定部材３０Ｓの連結プレート部３２と、第二第一パネル１１Ａの直線部固定部材３０Ｓの連結プレート部３２との間の間隔よりも僅かに小さい寸法である。
【００８１】
このように構成された什器システム１では、天板１０２上に設けられた第一パネル１１Ａ及び可動仕切パネル５が天板１０２上の空間を幅方向に区画するとともに、天板１０２の前方に設けられた第二パネル１１Ｂが天板１０２前方の空間を幅方向に区画する。よって、第一パネル１１Ａ、第二パネル１１Ｂ、及び可動仕切パネル５が、天板１０２上から天板１０２前方にわたって空間を区画することができる。
【００８２】
また、可動仕切パネル５を溝２５（保持溝３５）に沿って移動させることによって、可動仕切パネル５の移動方向とは反対の側に隙間を形成することができる。即ち、空間を二つに区画するパネルユニット２において、配線などに必要とされる隙間を形成することができる。
また、可動仕切パネル５を上下方向に移動させることによって、可動仕切パネル５の下方に隙間を形成することができる。
【００８３】
また、可動仕切パネル５は、天板１０２と、天板１０２の下方に設けられた配線収容空間６と、配線収容空間６の上方を覆い、開閉自在とされた板状の閉塞カバー７と、を有する什器の閉塞カバー７の上方に設けられている。これにより、可動仕切パネル５を上方に移動させることによって、パネルユニット２によって天板１０２の上方の空間を区画しながら、配線収容空間６を閉塞する閉塞カバー７の開閉動作を行うことができる。
【００８４】
また、第一パネル１１Ａには支持脚体５０Ｂが設けられている。支持脚体５０Ｂの支持脚部８０とサポート部８２とが天板１０２の前端部１０２ｅを板厚方向に挟持することで、第一パネル１１Ａは天板１０２上に取り付けられる。支持脚体５０Ｂの第二パネル１１Ｂに向かって突出するクランプアーム８１は、第一パネル１１Ａと隣接する第二パネル１１Ｂの溝２５に収容される。よって、第一パネル１１Ａの天板１０２への取り付け部分である支持脚体５０Ｂが目立たないため、什器システム１の体裁を良好とすることができる。
また、クランプアーム８１などによって第一パネル１１Ａが固定されることによって、可動仕切パネル５を保持する保持溝３５の位置が動くことを防止することができる。
【００８５】
可動仕切パネル５が、光透過性を有していることによって、可動仕切パネル５を自然光や照明光が透過することによって、可動仕切パネル５を介してパネルユニット２の反対側の状況の一部を確認することができる。
【００８６】
また、支持脚体５０Ｂの第二パネル１１Ｂに向かって突出するクランプアーム８１は、第二パネル１１Ｂのパネル基材１２の内方に向かって凹む溝２５に収容される。よって、第一パネル１１Ａの天板１０２への取り付け部分である支持脚体５０Ｂのクランプアーム８１をパネル基材１２の内方に納めることができるため、什器システム１の体裁をより良好とすることができる。
【００８７】
また、第二パネル１１Ｂは連結金具９０により支持脚体５０Ｂに連結され、支持脚体５０Ｂは第一パネル１１Ａを天板１０２に取り付けている。つまり、第二パネル１１Ｂは、連結金具９０及び支持脚体５０Ｂを介して天板１０２に取り付けられた第一パネル１１Ａに連結される。よって、第一パネル１１Ａと第二パネル１１Ｂとが連結されるとともに、第一パネル１１Ａ及び第二パネル１１Ｂの自立性を高めることができる。
【００８８】
また、連結金具９０は、第二パネル１１Ｂのパネル基材１２に内方に向かって凹む溝２５の壁部に取り付けられている。よって、第二パネル１１Ｂを第一パネル１１Ａに連結する連結金具９０をパネル基材１２の内方に納めることができるため、什器システム１の体裁をより良好とすることができる。
【００８９】
また、天板１０２上に取り付けられた支持脚体５０Ｂの第二パネル１１Ｂに向かって突出するクランプアーム８１は、第二パネル１１Ｂの溝２５に収容される。この第二パネル１１Ｂの後端部１１Ｑと天板１０２の前端部１０２ｅとは当接しているため、天板１０２を板厚方向に挟持する支持脚体５０Ｂの外部への露出を抑えることができる。よって、第一パネル１１Ａの天板１０２への取り付け部分である支持脚体５０Ｂが目立たないため、什器システム１の体裁を良好とすることができる。また、天板１０２と第二パネル１１Ｂとの間に生じる隙間を抑えることができるため、良好な納まりとすることができる。
【００９０】
また、天板１０２の下側を挟持する一対のサポート部８２が天板１０２の奥行方向後方に向かうにしたがって幅方向に互いに幅方向に離間しているため、サポート部８２が設けられた第一パネル１１Ａは天板１０２の幅方向両側から支持される。よって、第一パネル１１Ａを天板１０２に強固に取り付けることができる。また、サポート部８２は天板１０２の下側を挟持するため、このサポート部８２が目立つことがなく体裁を良好とすることができる。
【００９１】
さらに、上述したパネル体１１によれば、パネル基材１２およびクッション材１３を覆う表皮材１４が、パネル体１１の外周部において、パネル基材１２の外周縁部を回り込んで溝２５の内側に巻き込まれている。このため、パネル体１１の外周部は、パネル基材１２が露出することなく、表皮材１４で覆われることになる。
さらに、表皮材１４は、溝２５内で固定部材３０により固定されるため、固定部材３０がパネル体１１の外周部に露出するのを抑えることができる。
これにより、パネル体１１の外観を、柔軟な、有機的な印象とすることができる。
【００９２】
さらに、上述したパネル体１１においては、クッション材１３の外周端部１３ｅが、表皮材１４とともに、パネル基材１２の外周縁部で溝２５の内側に巻き込まれている。このように、表皮材１４だけでなく、表皮材１４によって覆われるクッション材１３も、パネル基材１２の外周縁部を回り込んで溝２５の内側に巻き込まれているので、パネル体１１の外周部が、より柔軟な印象の外観となる。
【００９３】
また、クッション材１３は、貫通孔１６によりパネル基材１２の表面に凹凸形状を形成し、表皮材１４は、パネル基材１２およびクッション材１３を覆うことで、凹凸形状に沿うことで凹部１７を形成する。
このようにして、表皮材１４によって覆われた部分に凹部１７が形成されるので、パネル体１１の意匠性が高まる。
【００９４】
加えて、クッション材１３は、弾性を有してパネル基材１２の表面に角部１６ｖを有する凹凸形状を形成し、表皮材１４は、角部１６ｖを圧縮方向に弾性変形させてクッション材１３およびパネル基材１２を覆っている。
これにより、形成された凹部１７は、クッション材１３の角部１６ｖが表皮材１４によって圧縮方向に弾性変形している。このため、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図７（ｂ）中に矢印Ｔで示す方向に伸長され、表皮材１４が弛むのを抑えることができる。
このようにして、意匠性に優れたパネル体１１を低コストで提供することが可能となる。
【００９５】
また、クッション材１３は、周縁に角部１６ｖを有する貫通孔１６が形成されている。
これにより、パネル基材１２の表面に凹凸形状を形成することができる。
クッション材１３の大きさを、パネル基材１２の表面の大きさよりも小さくすれば、クッション材１３の外周縁部の角部１６ｖによって、パネル基材１２の表面に凹凸形状を形成することができる。この場合、凹凸形状を設計通りに形成するには、クッション材１３を、パネル基材１２の表面に対して正確に位置決めする必要がある。これに対し、クッション材１３自体に、貫通孔１６を形成すると、パネル基材１２表面に沿ってクッション材１３を配置するのみで、凹凸形状を正確に実現できる。これにより、凹凸形状のデザインの自由度が高まる。
【００９６】
クッション材１３は、周縁に角部１６ｖを有する貫通孔１６が形成されている。表皮材１４は、貫通孔１６を通してパネル基材１２の表面であるベースシート１８の露出面１８ｆに直接接着されている。
これにより、クッション材１３を貫通しない凹部によって凹凸形状を形成する場合に比較し、表皮材１４によって覆われた部分に形成される凹部１７が、段差の大きなダイナミックなものとなり、意匠性が高まる。
また、クッション材１３は、一般的に、スポンジ状の多孔質材等によって形成される。
このような場合、クッション材１３と表皮材１４との接触面積が小さく、接着強度が確保しにくい。これに対し、表皮材１４が貫通孔１６の内方でパネル基材１２の表面に直接接着されることで、表皮材１４とクッション材１３とが面状に接着される。したがって、表皮材１４がクッション材１３に接着されている部分に比較し、表皮材１４が強固に接着される。これによって、時間の経過とともに表皮材１４が剥がれるのを防ぎ、形状を長期間にわたって安定して維持することができる。
【００９７】
さらに、表皮材１４は、弾性変形可能な材質で形成され、伸長した状態でクッション材１３及びパネル基材１２を覆っている。
これにより、表皮材１４が、張りのある状態となり、意匠性が高まる。
【００９８】
（その他の実施形態）
なお、本発明は、図面を参照して説明した上述の各実施形態に限定されるものではなく、その技術的範囲において様々な変形例が考えられる。
例えば、図１５に示すように、可動仕切パネル５Ｂを床面に直接配置したパネルユニット２Ｂに適用してもよい。即ち、床面に配置された一対のパネル体１１の間の空間に可動仕切パネル５Ｂを配置する構成としてもよい。
【００９９】
また、可動仕切パネル５は板状部材に限ることはなく、例えば、図１６に示すパネルユニット２Ｃのように、可動仕切パネル５Ｃはパネル体１１にて構成されてもよい。具体的には、可動仕切パネル５Ｃは、パネル体１１と、パネル体１１の溝２５内であって連結プレート部３２よりも溝２５の底部２１ｅから離間した側に挿入されたガイド部材７０とガイド部材と一体に形成された目地部材７１とから構成されてもよい。
ガイド部材７０は、突条３４と、側部プレート部３１と、連結プレート部３２とに囲まれた空間Ｓ１に保持されている。また、ガイド部材７０は、空間Ｓ１の断面形状と略同形状となるように形成されており、固定部材３０との摩擦力によって保持されている。
【符号の説明】
【０１００】
１  什器システム
２，２Ｂ，２Ｃ  パネルユニット
５，５Ｂ，５Ｃ  可動仕切パネル
６  配線収容空間
７  閉塞カバー
１１  パネル体
１１Ａ  第一パネル（パネル体）
１１Ｂ  第二パネル（パネル体）
１１ｓ  外周端部
１２  パネル基材（基材）
１３  クッション材
１３ｅ，１４ｅ  外周端部
１４  表皮材
１５  芯材
１５ａ  外周端面
１６  貫通孔
１６ｖ  角部
１７  凹部
１８  ベースシート
２０  フレーム
２１Ａ，２１Ｂ，２１Ｃ，２１Ｄ  枠材
２５  溝（凹溝）
３０  固定部材
５０  支持脚
５０Ｂ  支持脚体
８１  クランプアーム
８０  支持脚部
８２  サポート部
９０  連結金具
１００  デスク（什器）
１０２  天板
【図１】
2015188509.tif 000003
【図２】
2015188509.tif 000004
【図３】
2015188509.tif 000005
【図４】
2015188509.tif 000006
【図５】
2015188509.tif 000007
【図６】
2015188509.tif 000008
【図７】
2015188509.tif 000009
【図８】
2015188509.tif 000010
【図９】
2015188509.tif 000011
【図１０】
2015188509.tif 000012
【図１１】
2015188509.tif 000013
【図１２】
2015188509.tif 000014
【図１３】
2015188509.tif 000015
【図１４】
2015188509.tif 000016
【図１５】
2015188509.tif 000017
【図１６】
2015188509.tif 000018